(57)【要約】      （修正有）【課題】毛抜けとテカリの出来ないコーデュロイ服地【解決手段】ウールを主原料とした伸縮性のあるループ糸Ａを用い、▲■▼方向に溝と畝を表現するための特別な織り組織により製織し、織り上げられた生地の表面のループ糸に起毛加工を施し、その表面の毛をせん毛、整えてコーデュロイを表現した。【選択図】図３
0003122387.tif 000002
【実用新案登録請求の範囲】
【請求項１】
ループ糸を利用し▲たて▼畝柄を立体的に表現し起毛仕上げにより毛抜けと艶のつきにくいコーデュロイ服地。
【考案の詳細な説明】
【考案の詳細な説明】
【考案が解決しようとする課題】
【０００１】  従来のコーデュロイは粘着性の強いものが付着した時、それを取り除こうとすると服地表面の毛までが一緒に抜けてしまう。又、長く着用していると肘、膝、尻、などに艶が付きやすいという問題があった。
【背景技術】
【０００２】  従来のコーデュロイは、織上げた後に韋糸を▲たて▼方向にカットし▲たて▼方向に溝を作り、畝を表現したもので表面の毛は引っぱりに弱く、抜けてしまう。又、従来のコーデュロイの多くは主原料に綿糸を用いているため、プレスに対して回復性が非常に弱く、プレスされるとそこの所に艶が付きテカリの原因となる。そのため中年齢層の人より、毛抜けがなくテカリの付きにくいコーデュロイの要望があった。
【課題を解決するための手段】
【０００３】  韋糸をカットすることが原因で毛抜けがおきやすくなっているので、韋糸をカットせず起毛、毛刈によってこれを表現する方法を考案、そのためにウールを主原料とした糸で熱を加えると伸縮するループ糸と、このループ糸を押えるための細糸、そして▲たて▼溝をつくるための細糸を３タイプ用いて、
【図１】
の組織により製織し、加工工程において起毛、毛刈を施し、コーデュロイ服地を表現。
【考案の効果】
【０００４】  このコーデュロイ服地は、ループ状の糸の表面を起毛し、毛刈をしているので毛抜けは起きず、ウールを主原料としているのでプレスに対して回復性に優れ艶が付きにくい。
【図面の簡単な説明】
【図１】織組織図である
【図２】製織のための▲たて▼糸、韋糸の配列表である
【図３】「図１」のＡの所に入るループ糸の形状側面図である
【図４】考案のコーデュロイの服地サンプルである
【符号の説明】
Ａ  ループ糸Ｂ  細糸フィラメント糸Ｃ  梳毛糸▲１▼  ▲たて▼糸の配列図▲２▼  韋糸の配列図▲イ▼  浮糸−梳毛糸▲ロ▼  芯糸−ナイロン糸▲ハ▼  押え糸−オペロン糸
【図１】
0003122387.tif 000003
【図２】
0003122387.tif 000004
【図３】
0003122387.tif 000005
【図４】
0003122387.tif 000006
【手続補正書】
【提出日】平成16年2月20日(2004.2.20)
【手続補正１】
【補正対象書類名】実用新案登録請求の範囲
【補正対象項目名】全文
【補正の内容】
【実用新案登録請求の範囲】
【請求項１】
伸縮するループ糸（以降ループ糸とする）
このループ糸は〔図３〕に示す通り、芯糸、浮き糸、押え糸、の３本のそれぞれ性質の異なった糸を撚ることにより形成された糸である。
芯糸は浮き糸を巻き付けるための芯になる糸である。
浮き糸は芯糸を芯にして巻き付け、ループ状の形状を作るものである。
押え糸は芯糸と浮き糸が動かないように固定するための糸である。
この押え糸は熱を加えると伸縮性のある糸に変化をし、ゴム状の伸縮性がでるものである。
【請求項２】
ウール原料を用いたループ糸使用の服地
ウール原料は毛の表面にウロコ状のスケールがあるため繊維の回復力が速く、艶が付きにくい。〔図１〕の組織図はたて糸とよこ糸が表面に出ている所を示したものである。
ループ糸の浮き糸だけが起毛加工の時に起毛されるように〔図１〕の組織図のＡの所にループ糸を配列し、また、このループ糸が動かないように服地を安定させるため〔図１〕のＢの所に細糸を配列し〔図１〕のＣの所によこ糸のループ糸が表面に出にくいように梳毛糸を用いている。
〔図２〕の配列表は畝の太さ、溝の太さ、また、服地の風合、表現する柄により変化するものですが、ここでは服地の仕上り巾（１５０ｃｍ）の１循環のたて糸よこ糸の配列を記載したものである。
このループ糸と織り組織を組合せることにより多種類の柄を表現することができる。一般的にコーデュロイ服地とは立体的にたて畝柄を表現した服地のことである。
0003122387.tif 000007
【手続補正書】
【提出日】平成16年7月30日(2004.7.30)
【手続補正１】
【補正対象書類名】実用新案登録請求の範囲
【補正対象項目名】全文
【補正方法】変更
【補正の内容】
【実用新案登録請求の範囲】
【請求項１】
ウール原料を用いた伸縮するループ糸使用のコーデュロイ服地において
（１）伸縮するループ糸は、ループの形状を表現するために必要となる芯糸、浮糸、押え糸の３本のそれぞれ異なった糸を撚ることにより形成された糸であり、芯糸は浮糸を巻き付ける時に芯となる糸で、浮糸は芯糸を芯として巻き付けてループ状の形状を作る糸で、押え糸は芯糸と浮糸を保持し固定するための糸でこの押え糸は熱を加えるとゴムのように伸縮性の糸に変化する。
（２）ウール原料は毛の表面にウロコ状のスケールがあるため、プレスされた表面の毛羽の回復性が速く、そのため服地の表面に艶が付きにくい。
（３）コーデュロイ柄を表現するため凸畝と凹畝を表現するための特別な織り組織を用い、凸畝の部分の経糸には太糸のループ糸と細糸を１本１本交互に配列し、凹畝の部分は細糸だけ配列し経方向の畝を表現する。又、緯糸にはループ糸と細糸を１本１本交互に配列し製織をする。
（４）織り上がった生地の表面に起毛加工を施し、表面の毛羽を整えて仕上げる。
・以上からなる服地が、毛抜けがなく艶の付きにくいコーデュロイ服地。
【手続補正書】
【提出日】平成16年11月24日(2004.11.24)
【手続補正１】
【補正対象書類名】実用新案登録請求の範囲
【補正対象項目名】全文
【補正方法】変更
【補正の内容】
【実用新案登録請求の範囲】
【請求項１】
ウール原料を用いた伸縮するループ糸使用のコーデュロイ服地において
（３）凸畝と凹畝を表現するための特別な織り組織を用い、凸畝の部分の経糸には太糸のループ糸と細糸を１本、１本交互に配列し、凹畝の部分は細糸だけを配列して、経方向の畝を表現し、緯糸にはループ糸と細糸を１本、１本交互に配列して製織をする。
【手続補正書】
【提出日】平成17年5月16日(2005.5.16)
【手続補正１】
【補正対象書類名】実用新案登録請求の範囲
【補正対象項目名】全文
【補正方法】変更
【補正の内容】
【実用新案登録請求の範囲】
【請求項１】
ウール原料を用いた伸縮するループ糸使用のコーデュロイ服地において（１）伸縮するループ糸は、ループの形状を表現するために必要となる芯糸、浮糸、押え糸の３本のそれぞれ異なった糸を撚ることにより形成された糸であり、芯糸は浮糸を巻き付ける時に芯となる糸で、浮糸は芯糸を芯として巻き付けてループ状の形状を作る糸で、押え糸は芯糸と浮糸を保持し固定するための糸でこの押え糸は熱を加えるとゴムのように伸縮性の糸に変化する。（２）ウール原料は毛の表面にウロコ状のスケールがあるため、プレスされた表面の毛羽の回復性が速く、そのため服地の表面に艶が付きにくい。（３）コーデュロイ柄を表現するため凸畝と凹畝を表現するための特別な織り組織を用い、凸畝の部分の経糸には太糸のループ糸と細糸を１本１本交互に配列し、凹畝の部分は細糸だけ配列し経方向の畝を表現する。又、緯糸にはループ糸と細糸を１本１本交互に配列し製織をすることにより、起毛加工を施した時に経方向の畝がより立体的に表現される。（４）織り上がった生地の表面に起毛加工を施し、表面の毛羽を整えて仕上げる。・以上からなる服地が、毛抜けがなく艶の付きにくいコーデュロイ服地。
【手続補正書】
【提出日】平成17年9月11日(2005.9.11)
【手続補正１】
【補正対象書類名】実用新案登録請求の範囲
【補正対象項目名】全文
【補正方法】変更
【補正の内容】
【実用新案登録請求の範囲】
【請求項１】
ウール原料を用いた伸縮するループ糸使用のコーデュロイ服地において
（１）伸縮するループ糸は、ループの形状を表現するために必要となる芯糸、浮糸、押え糸の３本のそれぞれ異なった糸を撚ることにより形成された糸であり、芯糸は浮糸を巻き付ける時に芯となる糸で、浮糸は芯糸を芯として巻き付けてループ状の形状を作る糸で、押え糸は芯糸と浮糸を保持し固定するための糸でこの押え糸は熱を加えるとゴムのように伸縮性の糸に変化する。
（２）ウール原料は毛の表面にウロコ状のスケールがあるため、プレスされた表面の毛羽の回復性が速く、そのため服地の表面に艶が付きにくい。
（３）コーデュロイ柄を表現するため凸畝と凹畝を表現するための特別な織り組織を用い、凸畝の部分の経糸には太糸のループ糸と細糸を１本１本交互に配列をし、凹畝の部分には細糸だけを配列して経方向の畝を表現し、又、緯糸には太糸のループ糸と細糸を１本１本交互に配列をして製織をすることにより、起毛加工を施した時に経方向の畝が立体的に表現される。
（４）織り上がった生地の表面に起毛加工を施し、表面の毛羽を整えて仕上げる。
以上からなる服地が、毛抜けがなく艶の付きにくいコーデュロイ服地。